(57)【特許請求の範囲】
【請求項１】
映像信号を入力し、当該映像信号に対応する映像を画面に表示する映像表示回路と、
所定のフォーマットのパルスで表現した赤外線信号を受信して対応する電圧信号を生成する赤外線受光回路と、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、
情報を書き換え可能なＥＥＰＲＯＭと、
上記画面にＯＳＤ表示するため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに所定の階層構造で階層化された操作項目を階層毎に画面に一覧表示させるＯＳＤ信号を生成し、上記映像表示回路にて表示された上記操作項目の中からいずれかを選択する操作入力を上記リモコンから受け付けるとともに選択された末端階層の上記操作項目に対応する設定処理を実行するマイコンとを備えるテレビジョンにおいて、
上記リモコンは、ショートカットの操作手順の操作を受け付けるためのショートカット受け付けキーを備え、
上記ＥＥＰＲＯＭは、最上位階層の操作項目から当該最上位階層よりも下位側の階層の操作項目までの操作手順を表す情報を複数記憶し、
上記最上位階層の操作項目から当該最上位階層よりも下位側の階層の操作項目までの操作手順を表す情報は、上記各操作項目をそれぞれ表すデータをつなぎ合わせた構造とされ、
上記マイコンは、
前記操作項目の一覧を画面に表示しているときに前記ショートカット受け付けキーの操作が行われると、前記ショートカット受け付けキーが操作された時点の上記階層化された操作項目の選択入力に従い上記最上位階層から上記下位側の階層の操作項目までの操作手順の操作入力をショートカットの操作手順として上記リモコンから受け付け、
操作入力を受け付けた上記操作手順を表す情報を上記ＥＥＰＲＯＭに記憶させ、
前記操作項目の一覧を画面に表示していないときに前記ショートカット受け付けキーの操作が行われると、上記ＥＥＰＲＯＭに記憶された複数の上記ショートカットの操作手順を表す情報に基づいて、当該複数のショートカットの操作手順に対応させたショートカットの一覧を上記画面に表示させるとともに上記ショートカットの操作手順における最も下位の操作項目を上記ショートカットの一覧に表示させるＯＳＤ信号を生成し、
上記映像表示回路にて表示されたショートカットの一覧からいずれかのショートカットを選択する操作入力を上記リモコンより受け付けるとともに、選択されたショートカットの選択回数をカウントし、
選択されたショートカットに対応する上記操作手順を表す情報を上記ＥＥＰＲＯＭより取得して取得した情報に対応する操作手順を実行し、
上記ショートカットの一覧を表示させるＯＳＤ信号を生成する際は、上記カウンタでカウントされた上記ショートカットの選択回数の多い順または少ない順にショートカットの一覧を表示させ、
上記カウンタでカウントされた上記ショートカットの選択回数が所定回数以下のショートカットの表示に対応させて使用頻度の少ない旨を表示させるＯＳＤ信号を生成させることを特徴とするテレビジョン。
【請求項２】
所定の階層構造で階層化された操作項目を階層毎に画面に一覧表示し、表示した上記操作項目の中からいずれかを選択する操作入力を操作入力手段から受け付けるとともに、選択された末端階層の上記操作項目に対応する設定処理を実行するテレビジョンにおいて、
最上位階層の操作項目から当該最上位階層よりも下位側の階層の操作項目までの操作手順を表す情報を複数記憶可能な記憶媒体と、
前記操作項目の一覧を画面に表示しているときにショートカットの受け付けにかかる所定の操作が行われると、当該所定の操作の時点の上記階層化された操作項目の選択入力に従い、上記最上位階層から上記下位側の階層の操作項目までの操作手順の操作入力をショートカットの操作手順として上記操作入力手段から受け付けるショートカット入力受付手段と、
上記ショートカット入力受付手段にて操作入力を受け付けた上記操作手順を表す情報を上記記憶媒体に記憶させるショートカット記憶手段と、
前記操作項目の一覧を画面に表示していないときに前記所定の操作が行われると、上記記憶媒体に記憶された複数の上記ショートカットの操作手順を表す情報に基づいて、当該複数のショートカットの操作手順に対応させたショートカットの一覧を上記画面に表示するショートカット一覧表示手段と、
上記ショートカット一覧表示手段にて表示されたショートカットの一覧からいずれかのショートカットを選択する操作入力を、上記操作入力手段より受け付けるショートカット選択手段と、
上記ショートカット選択手段にて選択されたショートカットに対応する上記操作手順を表す情報を上記記憶媒体より取得し、取得した情報に対応する操作手順を実行するショートカット実行手段と
を備え、
上記最上位階層の操作項目から当該最上位階層よりも下位側の階層の操作項目までの操作手順を表す情報は、上記各操作項目をそれぞれ表すデータをつなぎ合わせた構造とされることを特徴とするテレビジョン。
【請求項３】
上記ショートカット一覧表示手段は、上記ショートカットの操作手順における最も下位の操作項目を上記ショートカットの一覧に表示することを特徴とする請求項２に記載のテレビジョン。
【請求項４】
上記ショートカット選択手段は、選択されたショートカットの選択回数をカウントするカウンタを備え、
上記ショートカット一覧表示手段は、上記カウンタでカウントされた上記ショートカットの選択回数の順にショートカットの一覧を表示することを特徴とする、請求項２または３に記載のテレビジョン。
【請求項５】
上記ショートカット選択手段は、選択されたショートカットの選択回数をカウントするカウンタを備え、
上記ショートカット一覧表示手段は、上記カウンタでカウントされた上記ショートカットの選択回数が所定回数以下のショートカットの表示に対応させて使用頻度の少ない旨を表示することを特徴とする請求項２または３に記載のテレビジョン。
【請求項６】
上記操作入力手段は、複数の操作子を縦横に配列したテンキーを備えており、
上記ショートカット一覧表示手段は、上記ショートカットの一覧を上記テンキーの各操作子に対応させた上記画面上の位置に各ショートカットを表示することを特徴とする、請求項２〜５のいずれかに記載のテレビジョン。
【請求項７】
上記複数のショートカットは、複数のショートカットグループのうちのいずれかに分類され、
上記記憶媒体は、上記最上位階層の操作項目から当該最上位階層よりも下位側の階層の操作項目までの操作手順を表す情報と、上記複数のショートカットグループのうちのいずれかのショートカットグループを表すショートカットグループ情報と、を対応づけて記憶し、
上記ショートカット入力受付手段は、上記ショートカットの操作手順の操作入力を上記操作入力手段から受け付けるとともに、上記複数のショートカットグループのうちのいずれかを選択する操作入力を上記操作入力手段から受け付け、
上記ショートカット記憶手段は、上記ショートカット入力受付手段にて操作入力を受け付けた上記操作手順を表す情報と上記ショートカットグループを表す情報とを対応づけて上記記憶媒体に記憶させ、
上記ショートカット一覧表示手段は、上記記憶媒体に記憶された複数のショートカットグループを表す情報に従って当該複数のショートカットグループを上記画面に一覧表示し、表示したショートカットグループの中からいずれかを選択する操作入力を上記操作入力手段から受け付けた後、上記複数のショートカットの中から同選択されたショートカットグループに対応するショートカットを表す情報を上記記憶媒体から取得して当該情報に対応するショートカットの一覧を上記画面に表示し、
上記ショートカット選択手段は、上記選択されたショートカットグループに対応するショートカットの一覧からいずれかのショートカットを選択する操作入力を上記操作入力手段より受け付けることを特徴とする請求項２に記載のテレビジョン。
【発明の詳細な説明】
【技術分野】
【０００１】
本発明は画面に操作項目を表示して操作を行う階層型メニューを備えるテレビジョンに関する。
【背景技術】
【０００２】
テレビジョンにおいて画質や音質などの設定を行うメニューは、機能増加やユーザーの嗜好の多様化のため、操作項目の数が増加する傾向がある。そして増加した操作項目の中からユーザーが目的の操作項目を効率よく選択できるようにするため、メニューの中に操作項目を分類整理したサブメニューを形成した階層構造をもたせることで対応していた。
【０００３】
しかしながらサブメニューの中にさらにサブメニューを作るなど階層構造も複雑化する傾向があり、ユーザーの目的とする操作項目が深い階層に位置することも多く、ユーザーが目的の操作を完了するまでに多数の操作を必要とすることが多くなってきている。
かかる状況から、各ユーザーのよく行う操作項目をより少ない操作で選択できるようにすることが望まれていた。
【０００４】
特許文献１には一連のメニュー選択操作をキー操作間の時間に関する情報を伴うシーケンスデータとして記憶し、特定のキー操作が行われたとき上記シーケンスデータを読み出して、当該シーケンスデータに従った一連のキー操作によって発生することとなるコード列を生成し、これを実行する家庭用端末装置について記載されている。
特許文献２には階層型に遷移する操作対象機器および操作対象状態の選択をその対象機器および操作対象状態固有のショートカット入力に割り当てる操作端末について記載されている。
特許文献３にはユーザーによる相互作用の系列を記憶し、記憶した相互作用の系列に対応する音声ショートカットを検出し、検出された音声ショートカットの存在をユーザーに通知するメッセージをユーザーに配信する音声学習支援方法について記載されている。
【特許文献１】特開平９−２５９０８２
【特許文献２】特開２００５−２０６５０
【特許文献３】特開２０００−２３１３９８
【発明の開示】
【発明が解決しようとする課題】
【０００５】
上記特許文献１には、シーケンスデータに従った一連のキー操作によって発生することとなるコード列を生成し、これを実行することについて開示されているが、複数のシーケンスデータを登録したとするとどのキー操作にどのシーケンスデータを関連付けたかを覚えておく必要があり、操作性が良いとは言えず、不便であった。また上記特許文献２および上記特許文献３についても、同様の理由により、操作性が良いとは言えず、不便であった。
本発明では上記の課題に鑑みてなされたものであり、テレビジョンにおける画質や音質などの設定を行うメニューの操作性を向上させることを目的とする。
【課題を解決するための手段】
【０００６】
上記目的を達成するため、本発明は、映像表示回路と赤外線受光回路とリモコンとＥＥＰＲＯＭとＯＳＤ回路を有するマイコンとを備えるテレビジョンにおいて、上記リモコンは、ショートカットの操作手順の操作を受け付けるためのショートカット受け付けキーを備え、上記ＥＥＰＲＯＭは、最上位階層の操作項目から当該最上位階層よりも下位側の階層の操作項目までの操作手順を表す情報を複数記憶し、上記最上位階層の操作項目から当該最上位階層よりも下位側の階層の操作項目までの操作手順を表す情報は、上記各操作項目をそれぞれ表すデータをつなぎ合わせた構造とされ、上記マイコンは、前記操作項目の一覧を画面に表示しているときに前記ショートカット受け付けキーの操作が行われると、前記ショートカット受け付けキーが操作された時点の上記階層化された操作項目の選択入力に従い上記最上位階層から上記下位側の階層の操作項目までの操作手順の操作入力をショートカットの操作手順として上記リモコンから受け付け、操作入力を受け付けた上記操作手順を表す情報を上記ＥＥＰＲＯＭに記憶させ、前記操作項目の一覧を画面に表示していないときに前記ショートカット受け付けキーの操作が行われると、上記ＥＥＰＲＯＭに記憶された複数の上記ショートカットの操作手順を表す情報に基づいて、当該複数のショートカットの操作手順に対応させたショートカットの一覧を上記画面に表示させるとともに上記ショートカットの操作手順における最も下位の操作項目を上記ショートカットの一覧に表示させるＯＳＤ信号を生成し、上記映像表示回路にて表示されたショートカットの一覧からいずれかのショートカットを選択する操作入力を上記リモコンより受け付けるとともに、選択されたショートカットの選択回数をカウントし、選択されたショートカットに対応する上記操作手順を表す情報を上記ＥＥＰＲＯＭより取得して取得した情報に対応する操作手順を実行し、上記ショートカットの一覧を表示させるＯＳＤ信号を生成する際は、上記カウンタでカウントされた上記ショートカットの選択回数の多い順または少ない順にショートカットの一覧を表示させ、上記カウンタでカウントされた上記ショートカットの選択回数が所定回数以下のショートカットの表示に対応させて使用頻度の少ない旨を表示させるＯＳＤ信号を生成させることを特徴とする。
【０００７】
また、上記目的を達成するために、請求項２に記載のテレビジョンでは、所定の階層構造で階層化された操作項目を階層ごとに画面に一覧表示し、表示した上記操作項目の中からいずれかを選択する操作入力を操作入力手段から受け付けるとともに、前記操作項目の一覧を画面に表示しているときにショートカットの受け付けにかかる所定の操作が行われると、上記ショートカット入力受付手段にて、当該所定の操作の時点の上記階層化された操作項目の選択入力に従い、上記最上位階層から上記下位側の階層の操作項目までの操作手順の操作入力をショートカットの操作手順として上記操作入力手段から受け付け、前記操作項目の一覧を画面に表示していないときに前記所定の操作が行われると、ショートカット記憶手段にて操作入力を受け付けた上記操作手順を表す情報を上記記憶媒体に記憶させ、ショートカット一覧表示手段にて上記記憶媒体に記憶された複数の上記ショートカットの操作手順を表す情報に基づいて、当該複数のショートカットの操作手順に対応させたショートカットの一覧を上記画面に表示する構成としてある。ここで、上記最上位階層の操作項目から当該最上位階層よりも下位側の階層の操作項目までの操作手順を表す情報は、上記各操作項目をそれぞれ表すデータをつなぎ合わせた構造とされている。
【０００８】
またショートカット選択手段で、上記ショートカット一覧表示手段にて表示されたショートカットの一覧からいずれかのショートカットを選択する操作入力を上記操作入力手段より受け付けると、ショートカット実行手段は上記ショートカット選択手段にて選択されたショートカットに対応する上記操作手順を表す情報を上記記憶媒体より取得するとともに取得した情報に対応する操作手順を実行する。以上により、上記ショートカットの操作手順を表す情報が画面に一覧表示されるので、ユーザーはショートカット実行時に表示される操作項目を覚えておく必要が無く、所望のショートカットの操作手順を画面上で素早く見つけて実行させることができる。従って、階層型メニューから操作項目を選択する際の操作性が向上する。
【０００９】
上記操作入力手段は、画面に表示された所定の階層構造で階層化された操作項目の中からいずれかを選択入力し当該選択入力をテレビジョンに受け付けさせること、および選択入力を上記ショートカット受付手段に受け付けさせることができれば良く、スイッチと連動したボタンやダイヤル等種々の態様が採用可能である。
【００１０】
ショートカット一覧表示手段としては、上記記憶媒体に記憶された複数の上記ショートカットの操作手順を表す情報に基づいて当該複数のショートカットの操作手順に対応させたショートカットの一覧を表示することが出来ればよい。またショートカットの一覧には各ショートカットに対応付けられた番号を表示してもよい。
【００１１】
上記記憶媒体には、ＥＥＰＲＯＭ、バッテリによりバックアップされたＲＡＭ、ハードディスク等の磁気記憶媒体、等を用いることができる。
【００１２】
本発明はショートカット一覧表示手段にて画面にショートカットの一覧を表示する構成としてあるが、当該ショートカットの一覧を表示するにあたり、上記ショートカットの操作手順における最も下位の操作項目を上記ショートカットの一覧として表示してもよく、これによりユーザーは各ショートカットに登録されている操作項目を容易に把握することが出来る。
【００１３】
また上記ショートカット選択手段に選択されたショートカットの選択回数をカウントするカウンタを備えさせ、上記カウンタの上記選択回数を上記ショートカットの操作手順を表す情報とともに上記記憶媒体に書き込んでおく構成としてもよい。この構成により上記ショートカット一覧表示手段にて表示される上記ショートカットの一覧の表示順を上記選択回数の多い順に表示することが可能となり、ユーザーの選択回数の多いショートカットをより容易に選択できるようになる。むろん上記ショートカット一覧表示手段にて表示される上記ショートカットの一覧の表示順を上記選択回数の少ない順に表示してもよく、ショートカット登録の必要の無いものをユーザーが容易に把握することが可能となる。また上記カウンタのカウント数を各ショートカットとともに上記ショートカットの一覧に表示する構成としてもかまわない。
【００１４】
さらに、上記ショートカット一覧表示手段において表示される上記ショートカットの一覧において、上記カウンタの上記選択回数が所定回数以下のショートカットには選択回数の少ない旨を表示させてもいい。むろん上記選択回数が所定回数以下のショートカットを自動的に上記ショートカットの一覧から除外する構成としてもかまわない。
【００１５】
また、上記操作入力手段に複数のキーを縦横に配列したテンキーを備えさせ、上記ショーカット一覧表示手段において上記ショートカットの一覧を上記テンキーの各キーに対応させた上記画面上の位置に各ショートカットを表示する構成としてもかまわない。この構成によりユーザーは上記操作入力手段の上記テンキーのキーの位置と、当該キーに対応する画面上のショートカットとを直感的に把握することが可能となり、操作性が向上する。
【００１６】
さらに、上記ショートカット入力受付手段において上記ショートカットの操作手順の操作入力とともに上記複数のショートカットグループのうちのいずれかを選択する操作入力を上記操作入力手段より受け付け、上記ショートカット記憶手段において上記ショートカット入力受付手段にて操作入力を受け付けた上記操作手順を表す情報と上記ショートカットグループを表す情報とを対応付けて上記記憶媒体に記憶させておく構成としてもよい。当該構成においては、上記ショートカット一覧表示手段は上記記憶媒体に記憶された複数のショートカットグループを表す情報に従って当該複数のショートカットグループを上記画面に一覧表示し、表示したショートカットグループの中からいずれかを選択する操作入力を上記操作入力手段から受け付けた後、上記複数のショートカットの中から同選択されたショートカットグループに対応するショートカットを表す情報を上記記憶媒体から取得して当該情報に対応するショートカットの一覧を上記画面に表示し、上記ショートカット選択手段は、上記選択されたショートカットグループに対応するショートカットの一覧からいずれかのショートカットを選択する操作入力を上記操作入力手段より受け付けることとなる。当該構成は複数ユーザーが上記テレビジョンを使用しているときに、各ユーザーにショートカットを作成したいときに有用である。
【発明の効果】
【００１７】
以上説明したように、請求項１、請求項２にかかる発明によれば、階層型メニューにおいて操作項目をショートカットとして登録しやすくなり、また登録したショートカットの一覧を表示できるため操作性を向上させることが出来る。
【００１８】
また、請求項３にかかる発明によれば、ショートカットの一覧表示において、各ショートカット実行時に最終的に実行される操作項目の操作項目名が表示されるので、各ショートカットの操作手順をユーザーが直感的に理解することが出来る。
【００１９】
さらに請求項４にかかる発明によれば、ショートカットの選択回数の順にショートカットの一覧を表示することが可能となり、使用頻度の高いものほど少ない操作で実行可能となると同時にショートカットの使用頻度を一目で把握することが可能となる。
【００２０】
さらに請求項５にかかる発明によれば、使用回数の少ないショートカットをユーザーが一目で把握することが可能となる。
【００２１】
さらに請求項６にかかる発明によれば、ユーザーは上記操作入力手段の上記テンキーのキーの位置と、当該キーに対応する画面上のショートカットとを直感的に対応付けて把握することが可能となり、操作性が向上する。
【００２２】
そして請求項７にかかる発明によれば、複数ユーザーが上記テレビジョンを使用しているときに、各ユーザーそれぞれに別のショートカットグループを作成することが可能となる。
【発明を実施するための最良の形態】
【００２３】
以下、下記の順序に従って本発明の実施形態を説明する。
（１）テレビジョンの概略構成：
（２）ショートカット受け付けキー押下時の処理：
（３）ショートカットにショートカット名を登録する時の処理：
（４）ショートカットにショートカットグループを登録する時の処理：
（５）ショートカットの一覧の表示の仕方：
【００２４】
１）テレビジョンの概略構成
図１は、本願発明の実施形態にかかるテレビジョン（映像出力装置）１００の構成の概略を示している。同図に示すように、テレビジョン１００は、テレビジョン本体５０とリモコン（リモートコントロール装置）６０とを備える。本実施形態のテレビジョン本体５０は、アンテナ１０と、チューナ回路１１と、ＥＥＰＲＯＭ１２と、赤外線受光回路１４と、マイコン１５と、低周波出力回路２１と、ＩＩＣバス２７と、スピーカー２８、および映像表示回路である映像増幅・クロマ回路１３と、映像出力回路２２と、垂直偏向回路２３と、水平偏向回路２４と、高圧回路２５と、偏向コイル２６と、受像管２９とを備えている。
【００２５】
本テレビジョン１００の回路には汎用的なシリアル通信バスであるＩＩＣバス２７が設けられ、ＩＩＣバス２７に接続された各部１１，１２，１３，１５が所定の通信プロトコルに従って互いにデータの送受信を行うようにされている。
【００２６】
マイコン１５は、内部に、ＣＰＵ１６、ＲＯＭ１７、ＲＡＭ１８、Ｉ／Ｏ回路１９、ＯＳＤ（オンスクリーンディスプレイ）回路２０を備えている。ＯＳＤ回路２０は、映像増幅・クロマ回路１３に接続され、受像管２９の画面にＯＳＤ表示する画像を表すＯＳＤ信号を生成し映像信号に重畳する。マイコン１５は、ＣＰＵ１６の制御により、赤外線受光回路１４から電圧信号を入力して対応するキー操作を検知するとリモコン６０からの操作入力を受け付け、受け付けた操作入力に対応したＯＳＤ信号を生成する。また、マイコン１５は所定の階層構造で階層化された操作項目を階層毎に画面に一覧表示させるＯＳＤ信号を生成し、受像管２９の画面に表示された操作項目の中からいずれかを選択する操作入力をリモコン６０から受け付けるとともに、選択された末端階層の操作項目に対応する設定処理を実行する。なお、本実施形態では受像管から映像を出力するテレビジョンを例に取り上げて説明するが、本発明の映像出力装置には、液晶パネルから映像を出力する液晶テレビジョンやプラズマディスプレイから映像を出力するプラズマテレビジョン等も考えられる。
【００２７】
チューナ回路１１は、マイコン１５の制御により、アンテナ１０を介してテレビ放送帯域に対応した所望周波数のテレビジョン信号を受信するとともに、この受信したテレビジョン信号から所要の信号だけを選択して高周波増幅し、中間周波信号に変換して出力する。チューナ回路１１から出力された中間周波信号が映像増幅・クロマ回路１３に供給されると、映像増幅・クロマ回路１３は、マイコン１５からの制御データに基づいて、中間周波信号に各種の信号処理を施すことにより、ＲＧＢ（赤、緑、青）で表現される映像信号（ＲＧＢ信号）、同期信号および音声信号を復元する。復元された映像信号（ＲＧＢ信号）は、映像出力回路２２に出力され、対応する色成分にかかる電子ビームを各電子銃から蛍光面スクリーンに向けて照射させる。また、復元された同期信号は、所定の信号処理が施された後、偏向駆動信号として高圧回路２５に出力され、電圧変換を施した後に受像管２９に出力され、照射された電子ビームを偏向させる。さらに、復元された音声信号は、低周波出力回路２１を経て、スピーカー２８に出力される。
【００２８】
リモコン６０は操作を受け付ける複数のキーと、上記赤外線信号を上記赤外線受光回路に向けて送信する赤外線送信回路とを有し、同複数のキーの操作に応じた赤外線信号を所定のフォーマットで送出する。例えば、図２に図示するリモコン６０を用いて所望のチャンネルを受信させるべく操作すると、赤外線送信部６５より対応する赤外線リモコン信号が送出される。そして、マイコン１５が赤外線受光回路１４を介して同赤外線リモコン信号を受信し、対応するチャンネルを受信させるように周波数データをチューナ回路１１に送出する。
【００２９】
またリモコン６０はテンキー６３、音量調節キー６２ａ，６２ｂ、上下左右カーソル移動キー６１ａ，６１ｂ，６１ｃ，６１ｄ、カーソル選択キー６１ｅ、メニューキー６７、およびショートカット受け付けキー６４を備えている。なお、マイコンには、ＯＳＤ回路２０が備えられており、ＯＳＤ回路２０は、ＣＰＵ１６からの制御指示に基づいて各種表示に対応するＯＳＤ信号を生成するとともに、このＯＳＤ信号を映像信号に重畳して出力端子に供給する。
【００３０】
図３はリモコン６０の概略構成を示すブロック図である。リモコン６０は、制御回路５２を備え、同制御回路５２に接続された操作キー５１（図では３つの操作キーを例示）は図２のテンキー６３、音量調節キー６２ａ，６２ｂ、上下左右カーソル移動キー６１ａ，６１ｂ，６１ｃ，６１ｄ、カーソル選択キー６１ｅ、ショートカット受け付けキー６４、およびメニューキー６７にあたる。また制御回路５２には赤外線送信回路５６が接続されている。
【００３１】
赤外線送信回路５６は、図示しない赤外線発光素子を有しており、制御回路５２から出力される信号に対応した赤外線信号（無線信号）が、外部へ送信されるようになっている。制御回路５２は、ＣＰＵ５３、ＲＯＭ５４、ＲＡＭ５５等を備えている。そして、ＣＰＵ５３がＲＡＭ５５をワークエリアとして利用しながらＲＯＭ５４に記憶された所定のプログラムを実行し、リモコン６０全体の制御を行う。リモコン６０は、操作キーから操作入力を受け付け、入力された内容に対応する制御データを生成し、赤外線信号に変換して送信する。
【００３２】
図４に所定の階層構造で階層化された操作項目の一例を示す。リモコン６０のメニューキー６７が押し下げ操作されたときテレビジョンの画面に最初に表示されるメインメニューには、操作項目を大きく分類した操作項目である、「画質」、「音質」、「チャンネル設定」、「予約」、などが表示されるメニューブロックを表示する。次に大きく分類した操作項目をリモコン６０にて選択入力するとサブメニューのメニューブロックが画面に表示される。例えばメインメニューで「画質」を選択入力したときは、サブメニューにおいて、「戻る」、「コントラスト」、「輝度」、「明るさ」、「色の濃さ」、「シャープネス」、などの操作項目が表示される。
【００３３】
以下、図５を参照して、メニュー画面から操作項目の選択入力を受け付けて対応する設定処理を実行するマイコン１５の処理を説明する。なお、図５には、当該処理をフローチャートで示してある。本フローは、テレビジョン１００の電源がオンである間は繰り返し行われる。
【００３４】
処理を開始すると、まずリモコン６０のメニューキー６７が押し下げ操作されたか否かを判断する（ステップＳ１０）。リモコン６０は、各種キーが押し下げられる操作が行われると、当該操作を検知して操作に対応するパルスで表現した赤外線信号を赤外線送信回路からテレビジョン本体に向けて送信する。すると、赤外線受光回路１４が赤外線信号を受光して対応する電圧信号を生成する。マイコン１５は赤外線受光回路１４からの電圧信号の入力を常時監視しており、電圧信号で表される情報を識別することによりリモコンに対して行われたキー操作を検知する。これにより、マイコン１５はリモコン７０からの操作入力を受け付ける。
【００３５】
そしてユーザーがリモコン６０のメニューキー６７を押し下げる操作を行うと、リモコン６０は、メニューキー６７の押し下げ操作を検知し、当該押し下げ操作に対応するパルスで表現した赤外線信号を赤外線送信回路からテレビジョン本体に向けて送信する。すると、赤外線受光回路１４が赤外線信号を受光して対応する電圧信号を生成し、マイコン１５は同電圧信号を識別してメニューキー６７の押し下げ操作を検知するので、ステップＳ１０では条件成立となり、ステップＳ１５に進む。なお、メニューキー６７が押し下げ操作されていない場合にはマイコン１５はメニューキー６７の押し下げ操作を検知しないので、ステップＳ１０では条件不成立となり、本フローを終了する。
【００３６】
次に、ＲＡＭ１８内に設けた階層ポインタを初期化する（ステップＳ１５）。この階層ポインタは、図４で示した各メニューブロックのいずれかに対応させた数値を格納するためのポインタであり、例えば、最上位階層であるメインメニューのメニューブロックを”１”、当該最上位階層よりも一段下位の階層であって「１．画質」の直下のサブメニューブロックの階層を”２”、「２．音質」の直下のサブメニューブロックの階層を”３”、等に対応させることができる。
【００３７】
ステップＳ２０では、メニュー画面において階層に応じた操作項目全てを表す情報をＲＯＭ１７より取得する。図４を参照して説明すると、階層ポインタが”１”であればメインメニューの操作項目全てを表す情報をＲＯＭ１７から取得し、階層ポインタが”２”であればサブメニューの「画質」に対応する操作項目全てを表す情報をＲＯＭ１７から取得する。
【００３８】
ステップＳ３０では、ステップＳ２０で取得した操作項目全てを表す情報に基づいて当該操作項目の一覧を操作項目のいずれかの位置に対応させたカーソルとともにＯＳＤ表示させるＯＳＤ信号をＯＳＤ回路２０に生成させ、映像増幅・クロマ回路１３からの映像信号に当該生成したＯＳＤ信号を重畳し、ＯＳＤ信号を重畳した映像信号を映像増幅・クロマ回路１３に対して供給する。すると、映像増幅・クロマ回路１３にてＯＳＤ信号を重畳した映像信号に対応するＲＧＢ信号が生成され、受像管２９にて同ＲＧＢ信号に対応する映像が画面に表示される。ここで、映像信号にＯＳＤ信号が重畳されているので、テレビジョン１００の画面にはカーソルとともに操作項目の一覧が表示される。このとき、ユーザーはこのメニュー画面に従ってリモコン６０に配置された操作キーを押し下げ操作することで操作項目の選択入力を行うことができる。そこで、マイコン１５は、赤外線受光回路から電圧信号を入力して対応するキー操作を検知することにより、リモコンから操作入力を受け付ける。ここで、上下左右カーソル移動キー６１ａ，６１ｂ，６１ｃ，６１ｄの操作を検知した場合、カーソルを上下左右に移動させる。また、カーソル選択キー６５ｅの操作を受け付けた否かを判断し（ステップＳ４０）、カーソル選択キーの操作を検知しない場合には条件不成立となり、リモコンから操作入力を受け付け、カーソル移動キー６１ａ，６１ｂ，６１ｃ，６１ｄの操作を検知した場合にはカーソルを上下左右に移動させる。
【００３９】
ステップＳ４０でカーソル選択キーの操作を検知した場合、カーソルの位置にある操作項目の選択入力を受け付けたことになり、図４で示したような階層構造を表す情報を参照して同選択された操作項目に応じて階層ポインタを更新する（ステップＳ４５）。図４を参照して説明すると、メインメニューが画面表示されているときに「２．音質」が選択入力されると「２．音質」に対応させた数値を階層ポインタに格納し、「画質」のサブメニューが画面表示されているときに「３．輝度」が選択入力されると「３．輝度」に対応させた数値を階層ポインタに格納する。
【００４０】
その後、選択された操作項目の階層が末端の階層であるか否かを判断する（ステップＳ５０）。図４で示した階層構造の情報には操作項目が末端であるか否かを表す情報が含まれており、当該情報に基づいて上記選択入力された操作項目が階層の末端であるか否かを判断することができる。選択された操作項目が末端の階層であると判断した場合、ステップＳ６０に進み、選択された操作項目に対応する設定処理を実行して、本フローを終了する。例えば、各操作項目に対応する所定のデータに基づいてＯＳＤ信号をＯＳＤ回路に生成させ、生成したＯＳＤ信号を映像信号に重畳して映像増幅・クロマ回路１３に対して供給し、ユーザーの操作に従い各操作項目に対応する処理を行ったのち処理を終了する。一方、ステップＳ４０にて選択入力された操作項目が階層の末端でないと判断した場合、ステップＳ２０〜Ｓ５０の処理を繰り返す。
【００４１】
２）ショートカット受け付けキー押下時の処理：
ショートカット受け付けキー押し下げ時には、所定の階層構造で階層化された操作項目を階層ごとに画面に一覧表示し、表示した上記操作項目の中からいずれかを選択する操作入力を操作入力手段から受け付けるとともに、上記階層化された操作項目までの選択入力に従い、上記階層化された操作項目の最上位階層から当該最上位階層よりも下位側の階層の操作項目までの操作手順を、ショートカットの操作手順として上記操作入力手段から受け付け、受け付けた上記操作手順を表す情報を上記記憶媒体に記憶させる。
【００４２】
具体的には所定の階層構造で階層化された操作項目を階層ごとに画面に一覧表示し、ユーザーがショートカットとして登録したい操作項目にカーソル移動し、リモコン６０に備えられたショートカット受け付けキーを押すことにより上記階層化された操作項目の最上位階層から当該最上位階層よりも下位側の階層の操作項目までの操作手順をショートカットとしてＥＥＰＲＯＭ１２に記憶させる。
【００４３】
また所定の階層構造で階層化された操作項目が画面に表示されていないときには、ＥＥＰＲＯＭ１２に記憶された複数の上記ショートカットの操作手順を表す情報に基づいて、当該複数のショートカットの操作手順に対応させたショートカットの一覧を表示し、表示されたショートカットの一覧からいずれかのショートカットを選択する操作入力をリモコン６０より受け付け、選択されたショートカットに対応する上記操作手順を表す情報をＥＥＰＲＯＭ１２より取得し、取得した情報に対応する操作手順を実行する構成としてある。
【００４４】
以下、図６のフローチャートを参照しながらリモコン６０のショートカット受け付けキー６４が押し下げ操作されたときのマイコン１５における処理手順について説明する。本フローは、リモコン６０のショートカット受け付けキー６４が押し下げ操作されると、割り込み処理にて行われる。また図７に、図６の処理においてＥＥＰＲＯＭ１２に格納されるショートカットの操作手順を表す情報のデータ構造を示す。
【００４５】
ユーザーがリモコン６０のショートカット受け付けキー６４を押し下げる操作を行うと、リモコン６０は、ショートカット受け付けキー６４の押し下げ操作を検知し、当該押し下げ操作に対応するパルスで表現した赤外線信号を赤外線送信回路５６からテレビジョン本体５０に向けて送信する。すると、赤外線受光回路１４が赤外線信号を受光して対応する電圧信号を生成し、マイコン１５は同電圧信号を識別してショートカット受け付けキー６４の押し下げ操作を検知するので、割り込み処理を開始し、上記メニュー画面が受像管２９に表示中であるか否かを判定する（ステップＳ１１０）。上記メニュー画面を表示する処理を実行中であれば条件成立となり、例えば「ショートカット登録状態」といったショートカット登録状態にある旨のＯＳＤ信号をＯＳＤ回路に生成させることにより、ショートカット登録状態にある旨をＯＳＤ表示させる（ステップＳ１２０）。一方、上記メニュー画面を表示する処理を実行していなければ条件不成立となり、ステップＳ１７０に進む。
【００４６】
以上より、図５で示したステップＳ１５〜Ｓ５０の処理と図６に示すステップＳ１１０〜Ｓ１２０の処理を行うマイコン１５が、階層化された操作項目の選択入力に従って最上位階層から下位側の階層の操作項目までの操作手順の操作入力をショートカットの操作手順として操作入力手段から受け付けるショートカット入力受付手段を構成する。
【００４７】
ステップＳ１２０終了後、マイコン１５は、赤外線受光回路１４から対応するキー操作の電圧信号の入力を検知することにより、リモコン６０に配置されたテンキー６３のいずれかが押し下げ操作されたか否かを判断する（ステップＳ１３０）。ユーザーがリモコン６０上のテンキー６３のいずれかを押し下げ操作すると赤外線送信部６５より当該キーに応じた赤外線信号を所定のフォーマットで送出する。すると、マイコン１５は、赤外線受光回路１４を介してリモコンからの同赤外線信号を受信し、同赤外線信号に前記キーの操作に対応する情報（以下、テンキー情報）が含まれることを検知し、当該情報を取得する。この場合、条件成立となり、ステップＳ１４０に進む。なお、リモコン６０のテンキー６３のいずれも押し下げ操作されていないと、マイコン１５はテンキーの操作を検知しないので、条件不成立となってステップＳ１３０の判断処理を繰り返すことになる。
【００４８】
ステップＳ１４０では、取得したテンキー情報に対応するショートカット番号のショートカットに対応するＥＥＰＲＯＭ１２のアドレスを表すアドレス情報を取得する。ＥＥＰＲＯＭ１２には、テンキー情報に対応させてショートカットの操作手順を表す情報を格納したアドレスを表すアドレス情報を記憶させてある。従って、ステップＳ１４０では、ＥＥＰＲＯＭ１２の情報を検索することにより、テンキー情報に対応するアドレス情報を取得することができる。
【００４９】
ステップＳ１４０終了後、テンキー情報に対応するショートカット番号に対応させて、図５で示した処理で選択入力を受け付けた操作項目までの操作手順を表す情報（操作手順データ）をＥＥＰＲＯＭ１２における上記アドレス情報で表されるアドレスに記憶させる（ステップＳ１５０）。すると、図７に示すように、ショートカット番号に対応して操作手順データがＥＥＰＲＯＭ１２に格納される。ここで、操作手順データの構造としては、例えば、最上位階層のメインメニューにある「２．音質」を表すデータ−一段下位のサブメニューにある「３．低音」を表すデータ−…のように最上位階層からショートカットの最下位の階層までの各操作項目をそれぞれ表すデータをつなぎ合わせた構造とすることができる。また、操作手順データの構造として、ショートカットの操作手順の最下位階層の操作項目を表すデータのみを操作手順データとすることもできる。この場合、ＥＥＰＲＯＭ１２に記憶させるデータ容量を少なくさせることができるので、好適である。
【００５０】
以上より、ステップＳ１４０〜Ｓ１５０の処理を行うマイコン１５は、操作入力を受け付けた操作手順を表す情報を記憶媒体に記憶させるショートカット記憶手段を構成する。
ステップＳ１５０終了後、例えば「ショートカット登録終了」といったショートカット登録完了の旨のＯＳＤ信号をＯＳＤ回路に生成させ、ショートカット登録完了の旨を受像管２９に画面表示させて（ステップＳ１６０）、処理を終了する。
【００５１】
また上記ステップＳ１１０にて上記メニュー画面がディスプレイに表示中でないと判定された場合は、ショートカットの一覧表示手段が上記記憶媒体に記憶された複数の上記ショートカットの操作手順を表す情報に基づいて当該複数のショートカットの操作手順に対応させたショートカットの一覧を上記画面に表示する。上記ショートカット選択手段は上記ショートカット一覧表示手段にて表示されたショートカットの一覧からいずれかのショートカットを選択する操作入力を上記操作入力手段より受け付け、ショートカット実行手段は上記ショートカット選択手段にて選択されたショートカットに対応する上記操作手順を表す情報を上記記憶媒体より取得し、取得した情報に対応する操作手順を実行する。
【００５２】
以下、具体的に説明する。上記ステップＳ１１０にて上記メニュー画面を表示する処理を実行していないと判断した場合は、ＥＥＰＲＯＭ１２に記憶された複数のショートカットの操作手順を表す情報に基づいて、当該複数のショートカットの操作手順に対応させたショートカットの一覧を画面表示させるＯＳＤ信号をＯＳＤ回路に生成させ、受像管２９にショートカットの一覧を画面表示させる（ステップＳ１７０）。なお、ショートカットの一覧の画面表示例を図１２に示している。
以上より、ステップＳ１７０の処理を行うマイコン１５は、ショートカット一覧表示手段を構成する。
【００５３】
ステップＳ１７０終了後、マイコン１５は、赤外線受光回路１４から対応するキー操作の電圧信号の入力を検知することにより、リモコン６０に配置されたテンキー６３のいずれかが押し下げ操作されたか否かを判断する（ステップＳ１８０）。ユーザーがリモコン６０上のテンキー６３のいずれかを押し下げ操作すると当該キーに応じた赤外線信号が送出されるので、マイコン１５は、赤外線受光回路１４を介してリモコンからの同赤外線信号を受信し、同赤外線信号に前記キーの操作に対応するテンキー情報が含まれることを検知し、当該情報を取得する。この場合、条件成立となり、ステップＳ１９０に進む。なお、リモコン６０のテンキー６３のいずれも押し下げ操作されていないと、条件不成立となってステップＳ１８０の判断処理を繰り返すことになる。
以上より、ステップＳ１８０の処理を行うマイコン１５は、ショートカット選択手段を構成する。
【００５４】
ステップＳ１９０では、取得したテンキー情報に対応するショートカット番号の操作手順を表す情報をＥＥＰＲＯＭ１２から取得し、取得した情報に基づいてショートカットの操作手順における最も下位の操作項目をショートカットの一覧に表示させるＯＳＤ信号をＯＳＤ回路に生成させ、当該ショートカットの一覧を受像管２９から画面表示する。例えば、押し下げ操作されたテンキーの番号に対応して最上位階層のメインメニューにある「２．音質」を表すデータ−一段下位のサブメニューにある「３．低音」を表すデータ−…のように最上位階層からショートカットの最下位の階層までの各操作項目をそれぞれ表すデータをつなぎ合わせた操作手順データがＥＥＰＲＯＭ１２に格納されている場合、まず、メインメニューの「２．音質」が選択入力されたときの処理を実行し、サブメニューの「３．低音」が選択入力されたときの処理を実行し、以下、同様の処理を最下位階層の操作項目までの各操作項目が選択入力されたときの処理を実行し、最下位階層の操作項目に対応する操作項目の一覧を表示する。
【００５５】
そして、ステップＳ１９０にて表示した操作項目に対応する情報を階層ポインタにセットし、図５のメニュー操作処理のステップＳ５０にジャンプする。すると、ショートカットの操作手順における最下位の操作項目の階層が末端の階層であるか否かが判断され、最下位の操作項目が末端の階層であると判断された場合には、ステップＳ６０に進み、選択された操作項目に対応する設定処理が実行されて、フローが終了する。一方、最下位の操作項目が階層の末端でないと判断された場合、ステップＳ２０〜Ｓ５０の処理が繰り返される。
以上より、ステップＳ１９０〜Ｓ２００、図５で示したステップＳ２０〜Ｓ６０の処理を行うマイコン１５は、選択されたショートカットに対応する操作手順を表す情報を記憶媒体より取得して当該情報に対応する操作手順を実行するショートカット実行手段を構成する。
【００５６】
以上説明したように、ショートカットの操作手順を表す情報が画面に一覧表示されるので、ユーザーはショートカット実行時に表示される操作項目を覚えておく必要が無く、所望のショートカットの操作手順を画面上で素早く見つけて実行させることができる。従って、階層型メニューから操作項目を選択する際の操作性を向上させることが可能になる。
【００５７】
上述した実施形態ではショートカット一覧表示手段にて画面にショートカットの一覧を表示する構成としてあるが、当該ショートカットの一覧を表示するにあたり、上記ショートカットの操作手順における最も下位の操作項目名を上記ショートカットの一覧として表示してもよい。例えばＲＯＭ１７に格納された上記ショートカットの操作手順における最も下位の操作項目名を表すデータを取得し、当該操作項目に対応するショートカット番号と当該操作項目名を対応付けてショートカットの一覧として表示すればよい。これによりユーザーは各ショートカットに登録されている操作項目を容易に把握することが出来る。またＥＥＰＲＯＭ１２に記録される情報は、ショートカットを識別するコードであるショートカット番号と当該ショートカット番号に対応する最上位階層の操作項目から当該最上位階層よりも下位側の階層の操作項目までの操作手順を表す情報が格納されていればよい。さらにステップＳ１８０にてショートカットの一覧よりいずれかのショートカットを選択する選択操作はテンキー６３ではなく、カーソル移動キー６１ａ，６１ｂ，６１ｃ，６１ｄ及びカーソル選択キー６１ｅにて行ってもかまわない。
【００５８】
３）ショートカットにショートカット名を登録する時の処理
また上記ショートカット入力受付手段において、上記ショートカットの操作手順とともに上ショートカットを登録する際にユーザーが各ショートカットに対応する名前であるショートカット名を入力設定する構成としてもよい。当該構成におけるマイコン１５の処理を図８に示す。また当該処理においてはＥＥＰＲＯＭ１２に格納されるデータのデータ構造は図９のようにショートカット番号と当該ショートカット番号に対応付けられた操作手順データに加えてショートカット名となる。
【００５９】
ステップＳ１１０，Ｓ１２０，Ｓ１３０およびステップＳ１７０，Ｓ１８０，Ｓ１９０、Ｓ２００の処理は図６における処理と同一である。当該構成においてはステップＳ１３０を終了後、マイコン１５は、例えば「ショートカット名登録状態」といったショートカット名登録状態にある旨のＯＳＤ信号をＯＳＤ回路に生成させ、ショートカット名登録状態にある旨のＯＳＤ表示させる（ステップＳ２１０）。
ステップＳ２１０終了後、マイコン１５はリモコン６０のキー操作の電圧信号の入力を赤外線受光回路１４から検知することにより、当該キー操作の表す情報をショートカット名を表すデータとしてＲＡＭ１８に一時的に記憶していき、特定のキー操作の電圧信号の入力を検知することによりショートカット名の入力を完了する（ステップＳ２２０）。
具体的には、例えば、５０音のそれぞれを示す操作項目およびショートカット名入力完了を示す操作項目の一覧を画面表示させるＯＳＤ信号をＯＳＤ回路に生成させ、当該５０音の夫々を示す交差項目およびショートカット名入力完了を示す操作項目のいずれかの位置に対応させたカーソルとともにＯＳＤ表示させる。そしてカーソル移動キー６１ａ，６１ｂ，６１ｃ，６１ｄの押し下げ操作を検知した場合カーソルを移動させ、５０音を示す操作項目でカーソル選択キー６１ｅの押し下げを検知した場合当該５０音を示す操作項目に対応する５０音を示すデータをＲＡＭ１８に格納し、ショートカット名入力完了を示す操作項目でカーソル選択キー６１ｅが押し下げられたことを検知するまでステップＳ２２０の判断処理を繰り返す。
【００６０】
そしてステップＳ２３０ではステップＳ１３０にて取得した取得したテンキー情報に対応するショートカット番号のショートカットに対応するＥＥＰＲＯＭ１２のアドレスを表すアドレス情報を取得する。ＥＥＰＲＯＭ１２には、テンキー情報に対応させてショートカットの操作手順を表す情報を格納したアドレスを表すアドレス情報を記憶させてある。従って、ステップＳ２３０では、ＥＥＰＲＯＭ１２の情報を検索することにより、テンキー情報に対応するアドレス情報を取得することができる。
【００６１】
ステップＳ２３０終了後、テンキー情報に対応するショートカット番号に対応させて、図５で示した処理で操作入力を受け付けた操作手順を表す情報（操作手順データ）およびステップＳ２２０にてＲＡＭ１８に一時的に格納したショートカット名を示す情報をＥＥＰＲＯＭ１２における上記アドレス情報で表されるアドレスに記憶させる（ステップＳ２４０）。すると、図９に示すように、ショートカット番号に対応して操作手順データおよびショートカット名データがＥＥＰＲＯＭ１２に格納される。ここで、操作手順データの構造としては、図６のステップ１５０で書き込まれるものと同様である。
【００６２】
ステップＳ２５０終了後、例えば「ショートカットおよびショートカット名登録完了」といったショートカットおよびショートカット名登録完了の旨のＯＳＤ信号をＯＳＤ回路に生成させ、ショートカットおよびショートカット名登録完了の旨を受像管２９に画面表示させて（ステップＳ２５０）、処理を終了する。
【００６３】
４）ショートカットにショートカットグループを登録する時の処理
上記ショートカット入力受付手段において上記ショートカットの操作手順とともに上記複数のショートカットの操作手順を複数のショートカットグループのうちのひとつに分類するショートカットグループ情報を受け付け、上記ショートカット記憶手段において上記ショートカットの操作手順とともに当該ショートカットの操作手順とともに上記ショートカットグループ情報を上記記憶媒体に記憶させておく構成としてもよい。
【００６４】
当該構成においては、上記ショートカット一覧表示手段はまず上記ショートカットグループの一覧を表示し、しかるのちに上記操作入力手段による選択入力された上記ショートカットグループの上記ショートカットグループ情報とともに上記記憶媒体に記憶されているショートカットの一覧を表示し、上記ショートカット選択手段は上記ショートカットグループ情報とともに上記記憶媒体に記憶されているショートカットの一覧からいずれかのショートカットを選択することとなる。当該構成は複数ユーザーが上記テレビジョンを使用しているときに、各ユーザーにショートカットを作成したいときに有用である。
【００６５】
当該構成におけるマイコン１５の処理を図１０に示す。ステップＳ１１０，Ｓ１２０，Ｓ１３０およびステップＳ１７０，Ｓ１８０，Ｓ１９０、Ｓ２００の処理は図６における処理と同一である。また当該構成においてＥＥＰＲＯＭ１２に格納されるデータのデータ構造は図１１のようにショートカット番号と当該ショートカット番号に対応付けられた操作手順データに加えてショートカットグループ番号を示すデータおよびショートカットグループ名を示すデータとなる。
【００６６】
当該構成においてはステップＳ１３０を終了後、マイコン１５は、例えば「ショートカットグループ番号登録状態」といったショートカットグループ番号登録状態にある旨のＯＳＤ信号をＯＳＤ回路に生成させ、ショートカットグループ番号登録状態にある旨のＯＳＤ表示させる（ステップＳ３１０）。
【００６７】
ステップＳ３１０終了後、マイコン１５は、赤外線受光回路１４から対応するキー操作の電圧信号の入力を検知することにより、リモコン６０に配置されたテンキー６３のいずれかが押し下げ操作されたか否かを判断する（ステップＳ３２０）。ユーザーがリモコン６０上のテンキー６３のいずれかを押し下げ操作すると赤外線送信部６５より当該キーに応じた赤外線信号を所定のフォーマットで送出する。すると、マイコン１５は、赤外線受光回路１４を介してリモコンからの同赤外線信号を受信し、同赤外線信号にテンキー情報が含まれることを検知し、当該情報を取得する。この場合、条件成立となり、ステップＳ３３０に進む。なお、のテンキー６３のいずれも押し下げ操作されていないと、マイコン１５はテンキーの操作を検知しないので、条件不成立となってステップＳ３２０の判断処理を繰り返すことになる。
【００６８】
ステップＳ３２０終了後、マイコン１５は、例えば「ショートカットグループ名登録状態」といったショートカットグループ名登録状態にある旨のＯＳＤ信号をＯＳＤ回路に生成させ、ショートカットグループ名登録状態にある旨のＯＳＤ表示させる（ステップＳ３３０）。
【００６９】
ステップＳ３３０終了後、図８におけるＳ２２０と同様に、マイコン１５はリモコン６０のキー操作の電圧信号の入力を赤外線受光回路１４から検知することにより、当該キー操作の表す情報をショートカットグループ名を表すデータとしてＲＡＭ１８に一時的に記憶していき、特定のキー操作の電圧信号の入力を検知することによりショートカットグループ名の入力を完了する（ステップＳ３４０）。
【００７０】
具体的には、例えば、５０音のそれぞれを示す操作項目およびショートカットグループ名入力完了を示す操作項目の一覧を画面表示させるＯＳＤ信号をＯＳＤ回路に生成させ、当該５０音の夫々を示す交差項目およびショートカットグループ名入力完了を示す操作項目のいずれかの位置に対応させたカーソルとともにＯＳＤ表示させる。そしてカーソル移動キー６１ａ，６１ｂ，６１ｃ，６１ｄの押し下げ操作を検知した場合カーソルを移動させ、５０音を示す操作項目でカーソル選択キー６１ｅの押し下げを検知した場合当該５０音を示す操作項目に対応する５０音を示すデータをＲＡＭ１８に格納し、ショートカットグループ名入力完了を示す操作項目でカーソル選択キー６１ｅが押し下げられたことを検知するまでステップＳ３４０の判断処理を繰り返す。
【００７１】
そしてステップＳ３５０ではステップＳ１３０にて取得した取得したテンキー情報に対応するショートカット番号のショートカットに対応するＥＥＰＲＯＭ１２のアドレスを表すアドレス情報を取得する。ＥＥＰＲＯＭ１２には、テンキー情報に対応させてショートカットの操作手順を表す情報を格納したアドレスを表すアドレス情報を記憶させてある。従って、ステップＳ３５０では、ＥＥＰＲＯＭ１２の情報を検索することにより、テンキー情報に対応するアドレス情報を取得することができる。
【００７２】
ステップＳ３５０終了後、テンキー情報に対応するショートカット番号に対応させて、操作手順データ、ステップＳ３２０にて受け付けたテンキー情報、そしてステップＳ３４０にてＲＡＭ１８に一時的に格納したショートカットグループ名を示す情報をＥＥＰＲＯＭ１２における上記アドレス情報で表されるアドレスに記憶させる（ステップＳ３６０）。すると、図１１に示すように、ショートカット番号に対応して操作手順データ、ショートカットグループ番号データおよびショートカットグループ名データがＥＥＰＲＯＭ１２に格納される。ここで、操作手順データの構造としては、図６のステップ１５０で書き込まれるものと同様である。また当該構成においてショートカットグループ名を入力するステップＳ３４０を省く構成としてもかまわない。
【００７３】
５）ショートカットの一覧の表示の仕方
ショートカット一覧表示手段としては、上記記憶媒体に記憶された複数の上記ショートカットの操作手順を表す情報に基づいて当該複数のショートカットの操作手順に対応させたショートカットの一覧を表示することが出来ればよく、ショートカットの一覧には各ショートカットに対応付けられた番号を表示してもよい。またショートカットに対応付けられた番号と当該ショートカットに対応する最上位階層の操作項目から当該最上位階層よりも下位側の階層の操作項目までの操作手順を表す情報に加えて、当該ショートカットが上記ショートカット選択手段に選択されたショートカットの選択回数が書き込まれていてもよい。
【００７４】
また上記ショートカット選択手段に選択されたショートカットの選択回数をカウントするカウンタを備えさせ、上記カウンタの上記選択回数を上記ショートカットの操作手順を表す情報とともに上記記憶媒体に書き込んでおく構成としてもよい。この構成により上記ショートカット一覧表示手段にて表示される上記ショートカットの一覧の表示順を上記選択回数の多い順に表示することが可能となり、ユーザーの選択回数の多いショートカットをより容易に選択できるようになる。また上記ショートカット一覧表示手段にて表示される上記ショートカットの一覧の表示順を上記選択回数の少ない順に表示するとショートカット登録の必要の無いものをユーザーが容易に把握することも可能となる。むろん上記カウンタのカウント数を各ショートカットとともに上記ショートカットの一覧に表示する構成としてもかまわない。
【００７５】
さらに、上記ショートカット一覧表示手段において表示される上記ショートカットの一覧において、上記カウンタの上記選択回数が所定回数以下のショートカットには選択回数の少ない旨を表示させてもいい。むろん上記選択回数が所定回数以下のショートカットを自動的に上記ショートカットの一覧から除外する構成としてもかまわない。
【００７６】
当該構成におけるマイコン１５の処理を図１３に示す。ステップＳ１１０，Ｓ１２０，Ｓ１３０，Ｓ１４０，Ｓ１５０，Ｓ１６０の処理は図６における処理と同一である。また当該構成においてＥＥＰＲＯＭ１２に格納されるデータのデータ構造は図１４のようにショートカット番号と当該ショートカット番号に対応付けられた操作手順データおよび当該ショートカットの選択回数を示す選択回数データ（カウンタ）となる。
当該構成においてはステップＳ１１０において上記メニュー画面が受像管２９に表示中でないと判定された場合は、ショートカット一覧表示手段は上記カウンタでカウントされた上記ショートカットの選択回数の順にショートカットの一覧を表示し、上記カウンタでカウントされた上記ショートカットの選択回数が所定回数以下のショートカットの表示に対応させて使用頻度の少ない旨を表示する。ここで比較基準の所定回数は１以上の整数とすることができ、１回でもいいし、２回以上でもよい。
【００７７】
以下、図１３を参照して説明する。ステップＳ１１０にて上記メニュー画面を表示する処理を実行していないと判断した場合は、ＥＥＰＲＯＭ１２に記憶された複数のショートカットのショートカット番号及び選択回数データを取得し、当該選択回数データに基づいてショートカットを表示する順番を選択回数順（多い順または少ない順）にソートし（ステップＳ４２０）、ＥＥＰＲＯＭ１２に記憶された複数のショートカットの操作手順を表す情報に基づいて、当該複数のショートカットの操作手順に対応させたショートカットの一覧を選択回数順に画面表示させるＯＳＤ信号をＯＳＤ回路に生成させ、受像管２９にショートカットの一覧を画面表示させる（ステップＳ４３０）。
さらにステップＳ４３０にて一覧表示されたショートカットの一覧において、上記選択回数が所定の回数以下のショートカットが存在するときは当該ショートカットの表示位置に合わせて、削除を促す旨のＯＳＤ信号をＯＳＤ回路に生成させ、当該ショートカットの一覧とともに受像管２９にショートカットの削除を促す旨を表示させる（ステップＳ４４０）。
【００７８】
ステップＳ４４０終了後、マイコン１５は、赤外線受光回路１４から対応するキー操作の電圧信号の入力を検知することにより、リモコン６０に配置されたテンキー６３のいずれかが押し下げ操作されたか否かを判断する（ステップＳ４５０）。ユーザーがリモコン６０上のテンキー６３のいずれかを押し下げ操作すると当該キーに応じた赤外線信号が送出されるので、マイコン１５は、赤外線受光回路１４を介してリモコンからの同赤外線信号を受信し、同赤外線信号に前記キーの操作に対応するテンキー情報が含まれることを検知し、当該情報を取得する。この場合、条件成立となり、ステップＳ４６０に進む。なお、リモコン６０のテンキー６３のいずれも押し下げ操作されていないと、条件不成立となってステップＳ４５０の判断処理を繰り返すことになる。
【００７９】
ステップＳ４６０ではステップＳ４５０にて取得したテンキー情報に該当する番号のショートカット番号に対応するＥＥＰＲＯＭ１２のアドレスの選択回数データを格納するアドレス情報を取得し、当該アドレスにおける選択回数データを１増やした値に書き換える（インクリメント）。そしてステップＳ４６０終了後、ステップＳ４５０で取得したテンキー情報対応するショートカット番号の操作手順を表す情報をＥＥＰＲＯＭ１２から取得し、取得した情報に基づいてショートカットの操作手順における最も下位の操作項目をショートカットの一覧に表示させるＯＳＤ信号をＯＳＤ回路に生成させ、当該ショートカットの一覧を受像管２９から画面表示する（ステップＳ４７０）。
【００８０】
そして、ステップＳ４７０にて表示した操作項目に対応する情報を階層ポインタにセットし、図５のメニュー操作処理のステップＳ５０にジャンプする。すると、ショートカットの操作手順における最下位の操作項目の階層が末端の階層であるか否かが判断され、最下位の操作項目が末端の階層であると判断された場合には、ステップＳ６０に進み、選択された操作項目に対応する設定処理が実行されて、フローが終了する。一方、最下位の操作項目が階層の末端でないと判断された場合、ステップＳ２０〜Ｓ５０の処理が繰り返される。なお上述したカウンタの代わりに、所定期間内の選択回数を格納するようにしたカウンタを用いてもよい。
【００８１】
また、上記操作入力手段に複数の操作子を縦横に配列したテンキー手段を備えさせ、図１２示すように上記ショーカット一覧表示手段において上記ショートカットの一覧を上記テンキー手段の各操作子に対応させた上記画面上の位置に各ショートカットを表示する構成としてもかまわない。この構成によりユーザーは上記操作入力手段の上記テンキー手段の操作子の位置と、当該操作子に対応する画面上のショートカットとを直感的に把握することが可能となり、操作性が向上する。
【図面の簡単な説明】
【００８２】
【図１】本発明のテレビジョンの概略構成を示すブロック図である
【図２】本発明のリモコンの一例を示す図である
【図３】本発明のリモコンの概略構成を示すブロック図である
【図４】本発明の階層型メニューを示したブロック図である
【図５】本発明の階層型メニューにおけるメニュー操作処理のフローチャートである
【図６】本発明のショートカット受け付けキー押し下げ時の処理である
【図７】図６の処理においてＥＥＰＲＯＭに格納されるショートカットのデータ構造である
【図８】本発明においてショートカットにショートカット名をユーザーが付けるときのショートカット受け付けキー押し下げ時の処理である
【図９】図８の処理においてＥＥＰＲＯＭに格納されるショートカットのデータ構造である
【図１０】本発明においてショートカットにショートカットグループとショートカットグループ名を設定するときのショートカット受け付けキー押し下げ時の処理である
【図１１】図９の処理においてＥＥＰＲＯＭに格納されるショートカットのデータ構造である
【図１２】ショートカットの一覧をテンキーの配置に合わせて表示したテレビジョン画面の一例である
【図１３】本発明の階層型メニューにおけるメニュー操作処理の変形例のフローチャートである
【図１４】図１３の処理においてＥＥＰＲＯＭに格納されるショートカットのデータ構造である
【符号の説明】
【００８３】
１００…テレビジョン
１０…アンテナ
１１…チューナ回路
１２…ＥＥＰＲＯＭ
１３…映像増幅・クロマ回路
１４…赤外線受光回路
１５…マイコン
１６…ＣＰＵ
１７…ＲＯＭ
１８…ＲＡＭ
１９…Ｉ／Ｏ回路
２０…ＯＳＤ（オンスクリーンディスプレイ）回路
２１…低周波出力回路
２２…映像出力回路
２３…垂直偏向回路
２４…水平偏向回路
２５…高圧回路
２６…偏向コイル
２７…ＩＩＣバス
２８…スピーカー
２９…受像管
５１…操作キー
５２…制御回路
５３…ＣＰＵ
５４…ＲＯＭ
５５…ＲＡＭ
５６…赤外線送信回路
６０…リモコン
６１ａ，６１ｂ，６１ｃ，６１ｄ…カーソル移動キー
６１ｅ…カーソル選択キー
６２ａ，６２ｂ…音量調節キー
６３…テンキー
６４…ショートカット受け付けキー
６５…赤外線送信部
６６…電源キー
６７…メニューキー
【図１】
0004682749.tif 000002
【図２】
0004682749.tif 000003
【図３】
0004682749.tif 000004
【図４】
0004682749.tif 000005
【図５】
0004682749.tif 000006
【図６】
0004682749.tif 000007
【図７】
0004682749.tif 000008
【図８】
0004682749.tif 000009
【図９】
0004682749.tif 000010
【図１０】
0004682749.tif 000011
【図１１】
0004682749.tif 000012
【図１２】
0004682749.tif 000013
【図１３】
0004682749.tif 000014
【図１４】
0004682749.tif 000015